(57)【要約】【課題】矢を通す手間と油分を除く工程を省略してコストダウンを図り、アームにキズやシワを発生させることなく、アンテナ素子とアームとを接触・固定させるものである。【解決手段】アームの挿通孔にアンテナ素子を挿通させ、アームにアンテナ素子を直角状に固定するアンテナ素子の固定方法であって、アームの対向した箇所の長手方向に凹溝を刻設し、凹溝の箇所に挿通孔を穿設し、アームの挿通孔にアンテナ素子を挿入させ、凹溝が閉じる方向にアームをプレス加工して挿通孔を変形させてアンテナ素子とアームとを接触・固定させるようにしたアンテナ素子の固定方法とした。【選択図】  図７
2004364202.tif 000002
【特許請求の範囲】
【請求項１】
アームの挿通孔にアンテナ素子を挿通させ、アームにアンテナ素子を直角状に固定するアンテナ素子の固定方法であって、アームの対向した箇所の長手方向に凹溝を刻設し、凹溝の箇所に挿通孔を穿設し、アームの挿通孔にアンテナ素子を挿入させ、凹溝が閉じる方向にアームをプレス加工して挿通孔を変形させてアンテナ素子とアームとを接触・固定させるようにしたアンテナ素子の固定方法。
【請求項２】
凹溝がＶ字型凹溝である請求項１記載のアンテナ素子の固定方法。
【請求項３】
凹溝がコ字型凹溝である請求項１記載のアンテナ素子の固定方法。
【請求項４】
請求項１の方法により製作されたアームに固定されたアンテナ素子。
【発明の詳細な説明】
【０００１】
【発明の属する技術分野】
本発明は、アンテナ素子の固定方法とアームに固定されたアンテナ素子に関するものである。
【０００２】
【従来の技術】
従来のアンテナ素子をアームに固定する方法を、図７により説明する。
【０００３】
アーム１０１の挿通孔１０２にアンテナ素子１０３を挿通させた後、アーム１０１内壁とアーム１０１の内側のアンテナ素子１０３との間隙に、この間隙より大きい断面の矢を、上下同時に通して図示のようにアンテナ素子１０３を変形させている。
【０００４】
アンテナ素子１０３を矢により上下方向に潰した時にアンテナ素子１０３の断面は横方向に拡がり楕円形状となり、拡がった部分が挿通孔１０２に当接し、又アーム１０１内部のアンテナ素子１０３も拡がるため、アンテナ素子１０３がアーム１０１の左右方向にズレ抜けることはなく、アンテナ素子１０３がアーム１０１に固定される。
【０００５】
また、本出願人は、既に特願２００２−２０５１８５「アンテナ素子の固定方法とアームに固定されたアンテナ素子」、特願２００３−１２３０３９「アンテナ素子の固定方法とアームに固定されたアンテナ素子」を出願している。これは例えば、図８に示すように、アーム１の挿通孔２にアンテナ素子３を挿通させ、アーム１にアンテナ素子３を直角状に固定するアンテナ素子３の固定方法であって、アンテナ素子３が挿通孔２に挿通され、アーム１と当接する挿通孔２の近傍をプレス加工して挿通孔２を変形させてアンテナ素子３とアーム１とを接触・固定させるようにしたアンテナ素子の固定方法である。プレス加工による加圧箇所は符号１１、１２で示すアーム１の近傍の円弧部分で、円弧状のキズが発生している。
【０００６】
これは、矢を用いることなく、プレス加工により、挿通孔２近傍のアーム１をプレス加工し、挿通孔２を変形させて接触・固定させるようにしたものである。
【０００７】
【発明が解決しようとする課題】
上記の従来のアンテナ素子１０３をアーム１０１に固定する方法の欠点としては、アーム１０１内壁とアーム１０１の内側のアンテナ素子１０３との間隙に矢を通す手間と、又、矢を引き抜く時にアンテナ素子１０３の折損を無くするため、潤滑のために多量の油が必要で、カシメた後、アーム１０１内部の油分を取り除く酸洗等の脱脂工程が必要である。
【０００８】
また、アーム１と当接する挿通孔２の近傍をプレス加工して挿通孔２を変形させて固定させる固定方法では、アーム１の断面が真円で加圧箇所にキズが発生する。キズの発生を無くして挿通孔２を縮小させようとすると、アンテナ素子３以外の部分でシワが発生する等の欠点があった。
【０００９】
【課題を解決するための手段】
そこで、本発明は、上記の事情に鑑み、矢を通す手間と油分を取り除く工程を省略してコストダウンを図り、また、アームにキズやシワを発生させることなく、アンテナ素子とアームとを接触・固定させるべく、アームの挿通孔にアンテナ素子を挿通させ、アームにアンテナ素子を直角状に固定するアンテナ素子の固定方法であって、アームの対向した箇所の長手方向に凹溝を刻設し、凹溝の箇所に挿通孔を穿設し、アームの挿通孔にアンテナ素子を挿入させ、凹溝が閉じる方向にアームをプレス加工して挿通孔を変形させてアンテナ素子とアームとを接触・固定させるようにしたアンテナ素子の固定方法とした。
【００１０】
また、本発明は、具体的には凹溝がＶ字型凹溝である。
【００１１】
さらに、本発明は、具体的には凹溝がコ字型凹溝である。
【００１２】
さらにまた、本発明は、上記の方法により製作されたアームに固定されたアンテナ素子である。
【００１３】
【発明の実施の態様】
本発明を添付する図面に示す具体的な実施例に基づいて、以下詳細に説明する。
【００１４】
本発明は、図１に示すように、アーム１の挿通孔２にアンテナ素子３を挿通させ、アーム１にアンテナ素子３を直角状に固定するアンテナ素子３の固定方法であって、アーム１の対向した箇所の長手方向に凹溝を刻設し、凹溝の箇所に挿通孔２を穿設し、アーム１の挿通孔２にアンテ素子３を挿入させ、凹溝が閉じる方向にアーム１をプレス加工して挿通孔２を変形させてアンテナ素子３とアーム１とを接触・固定させるようにしたアンテナ素子の固定方法である。
【００１５】
本発明では、矢を用いることなく、プレス加工により、挿通孔２近傍のアーム１をプレス加工し、挿通孔２を変形させて接触・固定させるようにしたものである。
【００１６】
また、本発明では、アーム１にキズやシワを発生させることなく、アンテナ素子３とアーム１とを接触・固定させるものである。
【００１７】
先ず、図２・図３に示すものは、例えば、プレス加工が外径２２ｍｍの円筒体のアルミ製アーム１の孔径８．１ｍｍの挿通孔２に、外径８ｍｍのアルミ製アンテナ素子３を挿通し、アーム１をプレス加工して挿通孔２を変形させてアンテナ素子３とアーム１とを接触・固定させる。
【００１８】
本発明では、図３に示すように、アーム１には対向した箇所の長手方向に凹溝２１を刻設し、凹溝２１の箇所に挿通孔２を穿設する。
【００１９】
アーム１の中心軸Ｃを通る直線と周壁との交差箇所（対向した箇所）に凹溝２１を刻設する。また、凹溝２１はアーム１の長手方向の全長にわたり刻設する。凹溝２１として図２Ａに示すＶ字型凹溝２１ａ、図２Ｂに示すコ型凹溝２１ｂ、図２Ｃに示すＶ字型凹溝２１ｃがある。
【００２０】
挿通孔２は、アーム１の長手方向の所要間隔を隔てた位置に穿設する。凹溝２１の幅Ｗは挿通孔２の直径より小さく形成する。
【００２１】
図２ＡのＶ字型凹溝２１ａの箇所に挿通孔２をドリルにより穿設する際、対面出口側でドリルが突部に当たりドリルの芯ぶれが起こりやすいので、図２Ｂに示すコ型凹溝２１ｂに形成しておくと、コ型凹溝２１ｂの箇所に挿通孔２をドリルにより穿設する際、対面出口側でドリルが平面部に当たりドリルは芯ぶれを起こすようなことはなく、挿通孔２の孔開けが正確且つ容易にでき、図２Ｃに示すＶ字型凹溝２１ｃであっても対面出口側でドリルは略平面部に当たりドリルは芯ぶれを起こすようなことはなく、挿通孔２の孔開けが正確且つ容易にできる。
【００２２】
図４〜図７によりアーム１の挿通孔２にアンテナ素子３を挿通させ、アーム１にアンテナ素子３を直角状に固定するアンテナ素子の固定方法について説明する。
【００２３】
図４はアーム１の挿通孔２にアンテナ素子３を挿入しプレス加工前の状態で、アーム１の直径はＬで、アンテナ素子３の直径はＤである。
【００２４】
図５は前記のアンテナ素子３を装着したアーム１を金型２２の下型２２ａ上に載置し、アーム１上に上型２２ｂを載置し、下型２２ａの上面と上型２２ｂの下面とが隔たった状態である。
【００２５】
図６は下型２２ａの上面と上型２２ｂの下面とが当接し、凹溝２１が閉じる方向にプレス加工し、挿通孔２を変形させてアンテナ素子３とアーム１とを接触・固定させた状態である。挿通孔２は上下方向で孔径が縮まりアンテナ素子３に食い込んでいき、凹溝２１の幅Ｗは狭くなる。
【００２６】
図７はアーム１にアンテナ素子３が接続・固定された完成品の状態で、アーム１の直径はＬ’となり、プレス加工前の直径Ｌより減少している。
【００２７】
本発明では、アンテナ素子の折損等のおそれがなく、油分を必要としないので、加工工程による油分の付着がなく、脱脂工程が簡単でよい。
【００２８】
また、本発明では、アーム１にキズやシワを発生させることなく、アンテナ素子３とアーム１とを接触・固定させるものである。
【００２９】
本発明は、上記の方法により製作したアーム１に固定されたアンテナ素子３で図１に示すように、八木形アンテナを構成し、テレビ電波を受信するアンテナとして使用される。
【００３０】
【発明の効果】
本発明は、上述のように、アームの挿通孔にアンテナ素子を挿通させ、アームにアンテナ素子を直角状に固定するアンテナ素子の固定方法であって、アームの対向した箇所の長手方向に凹溝を刻設し、凹溝の箇所に挿通孔を穿設し、アームの挿通孔にアンテナ素子を挿入させ、凹溝が閉じる方向にアームをプレス加工して挿通孔を変形させてアンテナ素子とアームとを接触・固定させるようにしたアンテナ素子の固定方法であるので、矢を通す手間と油分を除く工程を省略してコストダウンが図ることができる。
【００３１】
本発明では、アームにキズやシワを発生させることなく、アンテナ素子とアームとを接触・固定させるものである。
【００３２】
また、本発明は、具体的には、凹溝がＶ字型溝である。
【００３３】
さらに、本発明では、具体的には凹溝がコ字型溝である。
【００３４】
さらにまた、本発明は、上記の方法により製作されたアームに固定されたアンテナ素子である。
【図面の簡単な説明】
【図１】本発明の方法により製作されたアームに固定されたアンテナ素子を用いたアンテナの二面の斜視図である。
【図２】本発明のアームの凹溝の形状を異ならせた各断面図の三面図である。
【図３】本発明のアームの側面図である。
【図４】本発明のアームの挿通孔にアンテナ素子を挿入したプレス加工前の正面図と、断面図との二面図である。
【図５】本発明のアンテナ素子を装着したアームを金型の下型上に載置し、アーム上に上型を載置し、下型の上面と上型の下面とが隔たった状態の正面図と断面図との二面図である。
【図６】本発明の下型の上面と上型の下面とが当接し凹溝が閉じる方向にプレス加工し、挿通孔を変形させてアンテナ素子とアームとを接触・固定させた状態の正面図と断面図との二面図である。
【図７】本発明のアームにアンテナ素子が接続・固定された完成品の状態の正面図と断面図との二面図である。
【図８】従来のアームの挿通孔にアンテナ素子を挿通し抜け外れないように矢で加工した状態の正面図と側面図との二面図である。
【図９】本出願人が既に出願したものの、アームの挿通孔の近傍の上下を加圧してアームにアンテナ素子を組付けた状態を示すアーム部断面の正面図と側面図の二面図である。
【符号の説明】
１…アーム
２…挿通孔
３…アンテナ素子
２１…凹溝
【図１】
2004364202.tif 000003
【図２】
2004364202.tif 000004
【図３】
2004364202.tif 000005
【図４】
2004364202.tif 000006
【図５】
2004364202.tif 000007
【図６】
2004364202.tif 000008
【図７】
2004364202.tif 000009
【図８】
2004364202.tif 000010
【図９】
2004364202.tif 000011